(57)【要約】  下り制御情報の受信を適切に制御するために、本開示の一態様に係るユーザ端末は、所定セルにおいて用途が異なる１以上の下り制御情報を受信する受信部と、受信した下り制御情報のうち所定用途の下り制御情報が所定数を超えないように格納する制御部と、を有することを特徴とする。
2020059147.tif 000002
【特許請求の範囲】
【請求項１】
所定セルにおいて用途が異なる１以上の下り制御情報を受信する受信部と、
受信した下り制御情報のうち所定用途の下り制御情報が所定数を超えないように格納する制御部と、を有することを特徴とするユーザ端末。
【請求項２】
前記所定用途の下り制御情報は、物理共有チャネルのスケジューリングに用いられる下り制御情報、物理共有チャネルのアクティベーションに用いられる下り制御情報、及び物理共有チャネルのディアクティベーションに用いられる下り制御情報であることを特徴とする請求項１に記載のユーザ端末。
【請求項３】
前記所定用途の下り制御情報は、物理共有チャネルのスケジューリングに用いられる下り制御情報、及び物理共有チャネルのアクティベーションに用いられる下り制御情報であることを特徴とする請求項１に記載のユーザ端末。
【請求項４】
前記所定用途の下り制御情報は、ユニキャスト用の物理共有チャネルのスケジューリングに用いられる下り制御情報、物理共有チャネルのアクティベーション、及び物理共有チャネルのディアクティベーションに用いられる下り制御情報であることを特徴とする請求項１に記載のユーザ端末。
【請求項５】
複数のセルを利用して通信を行う場合、前記制御部は、セル毎に格納する下り制御情報の数を決定することを特徴とする請求項１から請求項４のいずれかに記載のユーザ端末。
【請求項６】
所定セルにおいて用途が異なる１以上の下り制御情報を受信する工程と、
受信した下り制御情報のうち所定用途の下り制御情報が所定数を超えないように格納する工程と、を有することを特徴とする無線通信方法。
【発明の詳細な説明】
【技術分野】
【０００１】
本開示は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（例えば、ＬＴＥ  Ｒｅｌ．８−１４）では、ユーザ端末（ＵＥ：User  Equipment）は、下り制御チャネル（例えば、ＰＤＣＣＨ：Physical  Downlink  Control  Channel）を介して伝送される下り制御情報（ＤＣＩ：Downlink  Control  Information、ＤＬアサインメント等ともいう）に基づいて、下り共有チャネル（例えば、ＰＤＳＣＨ：Physical  Downlink  Shared  Channel）の受信を制御する。また、ユーザ端末は、ＤＣＩ（ＵＬグラント等ともいう）に基づいて、上り共有チャネル（例えば、ＰＵＳＣＨ：Physical  Uplink  Shared  Channel）の送信を制御する。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（以下、ＮＲという）では、ＵＥは受信したＤＣＩを格納（store）して当該ＤＣＩでスケジューリングされる物理共有チャネルの送受信を制御することが検討されている。例えば、ＵＥが所定タイミング（例えば、所定スロット）においてＤＣＩを受信した場合、当該スロットまでに受信したＤＣＩを格納（store）することが検討されている。【０００７】
ＵＥが格納するＤＣＩの数が増加するにつれてＵＥの負荷が高くなるため、格納するＤＣＩ数を制限することが考えられる。一方で、ＮＲにおいて、ＤＣＩは、物理共有チャネルのスケジューリングだけでなく、他の用途（例えば、所定信号のアクティベーション又はディアクティベーション等）の指示にも利用される。このように、ＤＣＩを異なる用途に利用する場合に、ＤＣＩの受信動作（例えば、ＤＣＩの格納等）をどのように制御するかについて十分に検討されていない。【０００８】
本開示はかかる点に鑑みてなされたものであり、下り制御情報の受信を適切に制御可能なユーザ端末及び無線通信方法を提供することを目的の一つとする。
【課題を解決するための手段】
【０００９】
本開示の一態様に係るユーザ端末は、所定セルにおいて用途が異なる１以上の下り制御情報を受信する受信部と、受信した下り制御情報のうち所定用途の下り制御情報が所定数を超えないように格納する制御部と、を有することを特徴とする。
【発明の効果】
【００１０】
本開示の一態様によれば、下り制御情報の受信を適切に制御することが可能となる。
【図面の簡単な説明】
【００１１】
【図１】図１は、ＵＥにおけるＤＣＩの格納を説明する図である。
【図２】図２は、第１の態様におけるＤＣＩの格納制御の一例を示す図である。
【図３】図３は、第１の態様におけるＤＣＩの格納制御の他の例を示す図である。
【図４】図４は、第１の態様におけるＤＣＩの格納制御の他の例を示す図である。
【図５】図５は、第３の態様におけるＤＣＩの格納制御の一例を示す図である。
【図６】図６は、第３の態様におけるＤＣＩの格納制御の他の例を示す図である。
【図７】図７は、第４の態様におけるＤＣＩの格納制御の一例を示す図である。
【図８】図８は、第５の態様におけるＤＣＩの格納制御の一例を示す図である。
【図９】図９は、一実施形態に係る無線通信システムの概略構成の一例を示す図である。
【図１０】図１０は、一実施形態に係る基地局の構成の一例を示す図である。
【図１１】図１１は、一実施形態に係るユーザ端末の構成の一例を示す図である。
【図１２】図１２は、一実施形態に係る基地局及びユーザ端末のハードウェア構成の一例を示す図である。
【発明を実施するための形態】
【００１２】
ＮＲでは、ＵＥは受信したＤＣＩを格納（store）して当該ＤＣＩでスケジューリングされる物理共有チャネル（例えば、ＰＤＳＣＨ又はＰＵＳＣＨ）の送受信を制御することが検討されている。例えば、ＵＥは、所定スロットにおいてＤＣＩを受信した場合、当該スロットまでに受信したＤＣＩのうち、受信していないＰＤＳＣＨ又は送信していないＰＵＳＣＨをスケジューリングするＤＣＩを格納（store）する（図１参照）。なお、本明細書において、「格納」は、「蓄積」、「保持」、「記憶」、又は「保存」に読み替えられてもよい。
【００１３】
図１では、ＵＥがスロット＃５の段階で、それ以前に受信したＤＣＩのうち、対応するＰＤＳＣＨを受信していないＤＣＩ＃３−＃５を格納する場合を示している。これにより、ＤＣＩと当該ＤＣＩでスケジューリングされるＰＤＳＣＨが異なるスロットで送信される場合であっても、ＵＥはＤＣＩに基づいて適切にＰＤＳＣＨの受信を行うことができる。
【００１４】
一方で、ＵＥが格納するＤＣＩの数が増加するにつれてＵＥの受信処理（例えば、ベースバンド又はＲＦ処理、格納用のメモリサイズ等）の負荷が高くなるため、格納するＤＣＩ数を制限することが考えられる。仮に、ＵＥ側で格納するＤＣＩ数が制限されない場合、ＵＥは、格納され続けるＤＣＩに対するＰＤＳＣＨの受信又はＰＵＳＣＨの送信の準備を行うことによりＵＥの負荷が増大するおそれがある。
【００１５】
そのため、ＵＥが格納するＤＣＩ数を所定値以下とすることが考えられる。所定値は、例えば、１６としてもよいし、他の値としてもよい。
【００１６】
ところで、ＮＲでは、下り制御情報（ＤＣＩ）を異なる用途に利用して通信を制御することが想定される。例えば、ＤＣＩは以下の用途に利用されることが想定される。もちろん、ＤＣＩが適用される用途は以下に限られない。
【００１７】
＜ＤＬ＞
・ブロードキャストのＰＤＳＣＨ（broadcast  PDSCH）に利用するＤＣＩ
・ユニキャストのＰＤＳＣＨ（unicast  PDSCH）に利用するＤＣＩ
・セミパーシステントスケジューリングのＰＤＳＣＨ（SPS  PDSCH）のアクティベーションに利用するＤＣＩ
・セミパーシステントスケジューリングのＰＤＳＣＨ（SPS  PDSCH）のディアクティベーションに利用するＤＣＩ
【００１８】
＜ＵＬ＞
・ランダムアクセス手順におけるメッセージ３のＰＵＳＣＨ（Msg3  PUSCH）に利用するＤＣＩ
・ユニキャストのＰＵＳＣＨ（unicast  PUSCH）に利用するＤＣＩ
・設定グラントタイプ２のＰＵＳＣＨ（PUSCH  configured  grant  Type  2）のアクティベーションに利用するＤＣＩ
・設定グラントタイプ２のＰＵＳＣＨ（PUSCH  configured  grant  Type  2）のディアクティベーションに利用するＤＣＩ
・ＰＵＳＣＨを利用したセミパーシステントＣＳＩ（SP-CSI  on  PUSCH）のアクティベーションに利用するＤＣＩ
・ＰＵＳＣＨを利用したセミパーシステントＣＳＩ（SP-CSI  on  PUSCH）のディアクティベーションに利用するＤＣＩ
【００１９】
このように、ＤＣＩが異なる用途に利用される場合、ＤＣＩの受信動作（例えば、ＤＣＩの格納等）をどのように制御するかが問題となる。ＤＣＩの受信動作が適切になされない場合、通信品質の劣化が生じるおそれがある。
【００２０】
本発明者等は、ＵＥが異なる用途に利用されるＤＣＩを受信する点に着目し、ＤＣＩの種別に応じて又はＤＣＩの種別に関わらずＤＣＩの受信処理（例えば、格納するＤＣＩ数の制限等）を制御することを着想した。
【００２１】
以下、本実施の形態について、図面を参照して詳細に説明する。以下に示す各態様はそれぞれ単独で適用してもよいし、適宜組み合わせて適用してもよい。
【００２２】
（第１の態様）
第１の態様では、ＤＬの信号又はチャネルの受信に利用するＤＣＩのうち、所定用途のＤＣＩについてＵＥにおける格納数を制限する。なお、以下の説明において「格納数」は、「蓄積数」、「保持数」、「記憶数」、「保存数」、又は「受信数」に読み替えられてもよい。
【００２３】
以下の説明では、ＤＬの信号又はチャネルの受信に利用するＤＣＩとして以下のＤＣＩ種別について説明するが、本実施の形態で適用可能なＤＣＩ種別はこれに限られない。
【００２４】
・ブロードキャストのＰＤＳＣＨに利用（例えば、ＰＤＳＣＨをスケジュール）するＤＣＩ
・ユニキャストのＰＤＳＣＨに利用（例えば、ＰＤＳＣＨをスケジュール）するＤＣＩ
・ＳＰＳのＰＤＳＣＨのアクティベーションに利用するＤＣＩ
・ＳＰＳのＰＤＳＣＨ（SPS  PDSCH）のディアクティベーション（又はＳＰＳの解放（リリース））に利用するＤＣＩ
【００２５】
ブロードキャストのＰＤＳＣＨは、所定のＲＮＴＩ（例えば、ＳＩ−ＲＮＴＩ、Ｐ−ＲＮＴＩ、ＲＡ−ＲＮＴＩ、及びＴＣ−ＲＮＴＩの少なくとも一つ）によりＣＲＣスクランブルされるＤＣＩでスケジュールされるＰＤＳＣＨであってもよい。
【００２６】
ユニキャストのＰＤＳＣＨは、所定のＲＮＴＩ（例えば、Ｃ−ＲＮＴＩ、及びＭＣＳ−Ｃ−ＲＮＴＩの少なくとも一つ）によりＣＲＣスクランブルされるＤＣＩでスケジュールされるＰＤＳＣＨであってもよい。
【００２７】
ＳＰＳのＰＤＳＣＨのアクティベーション又はディアクティベーションに利用されるＤＣＩは、所定のＲＮＴＩ（例えば、ＣＳ−ＲＮＴＩ）によりＣＲＣスクランブルされるＤＣＩであってもよい。
【００２８】
ＵＥは、所定用途のＤＣＩに対する格納数が所定値以下となるように受信処理を行う。例えば、ＵＥは、所定値（例えば、Ｘ１）より多いＤＣＩ数を格納することが要求されない。この場合、ＵＥは、あるサービングセルの所定タイミングにおいて（あるいはいかなるタイミングにおいても）、最大Ｘ１個までのＤＣＩを格納する、又は格納される所定用途のＤＣＩの合計がＸ１個以下となると想定して受信処理を行ってもよい。
【００２９】
あるいは、ＵＥは、所定タイミングにおいて、所定チャネルをスケジューリングするＤＣＩ及び所定チャネルのアクティベーション／ディアクティベーションを指示するＤＣＩの少なくとも一つの送信に利用されるＰＤＣＣＨをＸ１より多く受信しないと想定してもよい。なお、Ｘ１は、仕様であらかじめ設定された値でもよいし、基地局からＵＥに上位レイヤシグナリング等を利用して設定した値でもよい。
【００３０】
ＵＥは、ＤＣＩによりスケジューリングされるＰＤＳＣＨを受信した場合には、受信したＰＤＳＣＨに対応するＤＣＩを破棄してもよい。また、ＵＥは、ＤＣＩによりアクティベーションが指示されるＰＤＳＣＨをアクティブ化した場合には、アクティブ化したＳＰＳ  ＰＤＳＣＨに対応するＤＣＩを破棄してもよい。同様に、ＵＥは、ＤＣＩによりディアクティベーションが指示されるＰＤＳＣＨをディアクティブ化した場合には、ディアクティブ化したＳＰＳ  ＰＤＳＣＨに対応するＤＣＩを破棄してもよい。
【００３１】
また、ＵＥは、ＤＣＩの格納数がＸ１より多くなる場合、格納しているＤＣＩのうち所定のＤＣＩを廃棄してもよい。廃棄するＤＣＩは、受信タイミングが最も早いＤＣＩであってもよい。あるいは、ＤＣＩの用途に優先度を設定し、格納数がＸ１より大きくなる場合に優先度が低いＤＣＩから廃棄してもよい。ＵＥは、所定のＤＣＩに基づく制御を行う前に当該ＤＣＩを廃棄する場合、廃棄されたＤＣＩが指示するブロードキャストＰＤＳＣＨの受信、ユニキャストＰＤＳＣＨの受信、ＳＰＳ  ＰＤＳＣＨのアクティベーション、又はＳＰＳ  ＰＤＳＣＨのディアクティベーションを行わなくてもよい。
【００３２】
また、当該ＤＣＩを廃棄する場合、当該ＤＣＩに基づいてＨＡＲＱ−ＡＣＫビットをＮＡＣＫにセットして送信してもよい。あるいは、ＳＰＳ  ＰＤＳＣＨのアクティベーション又はＳＰＳ  ＰＤＳＣＨのディアクティベーションを指示するＤＣＩを廃棄する場合、廃棄するタイミング（例えば、スロットやシンボル）で、ＳＰＳ  ＰＤＳＣＨのアクティベーション又はＳＰＳ  ＰＤＳＣＨのディアクティベーションを行ってもよい。
【００３３】
ＵＥにおける格納数を制限する所定用途のＤＣＩは、以下の構成１−１〜構成１−３のいずれかを適用してもよい。以下の各構成では、あるセルの所定スロット（例えば、ＵＥが受信を行っている現在スロット）において、当該所定スロットまでに受信したＤＣＩの格納数について説明する。
【００３４】
なお、ＵＥが格納するＤＣＩは、受信したＤＣＩのうち、当該ＤＣＩに関連する動作（例えば、ＰＤＳＣＨの受信、アクティブ化又はディアクティブ化）が行われていないＤＣＩを想定するがこれに限られない。また、以下の構成１−１〜構成１−３で示すＤＣＩは、所定ＤＣＩフォーマット（例えば、ＤＣＩフォーマット１＿０、及びＤＣＩフォーマット１＿１の少なくとも一方）であってもよい。
【００３５】
＜構成１−１＞
所定用途のＤＣＩとして、ＰＤＳＣＨのスケジューリングに利用されるＤＣＩ、ＰＤＳＣＨのアクティベーションに利用されるＤＣＩ、及びＰＤＳＣＨのディアクティベーションに利用されるＤＣＩが含まれていてもよい。
【００３６】
例えば、ＵＥは、ユニキャストのＰＤＳＣＨのスケジュールに利用されるＤＣＩ（例えば、図２のＤＣＩ＃５）、ブロードキャストのＰＤＳＣＨのスケジュールに利用されるＤＣＩ（例えば、図２のＤＣＩ＃４）、ＳＰＳのＰＤＳＣＨのアクティベーションに利用されるＤＣＩ、及びＳＰＳのＰＤＳＣＨのディアクティベーションに利用されるＤＣＩ（例えば、図２のＤＣＩ＃３）について、格納数（用途が異なるＤＣＩの格納数の合計）が所定値（例えば、Ｘ１）を超えないように制御する。
【００３７】
これにより、ストレージに保持されるＤＣＩ数を所定値以下とすることができるため、ＰＤＳＣＨ受信の準備等に伴うＵＥの負荷が増大することを抑制できる。
【００３８】
＜構成１−２＞
所定用途のＤＣＩとして、ＰＤＳＣＨのスケジューリングに利用されるＤＣＩ、及びＰＤＳＣＨのアクティベーションに利用されるＤＣＩが含まれていてもよい。一方で、ＰＤＳＣＨのディアクティベーションに利用されるＤＣＩは、格納数が制限されない（又は、格納数にカウントされない）構成としてもよい。
【００３９】
例えば、ＵＥは、ユニキャストのＰＤＳＣＨのスケジュールに利用されるＤＣＩ（例えば、図３のＤＣＩ＃５）、ブロードキャストのＰＤＳＣＨのスケジュールに利用されるＤＣＩ（例えば、図３のＤＣＩ＃４）、及びＳＰＳのＰＤＳＣＨのアクティベーションに利用されるＤＣＩについて、格納数が所定値（例えば、Ｘ１）を超えないように制御する。
【００４０】
ＵＥは、ＳＰＳのＰＤＳＣＨのディアクティベーションを指示するＤＣＩを受信した場合、ＰＤＳＣＨの受信動作（例えば、ＰＤＳＣＨの受信準備）が必要とされない。そのため、ＳＰＳのＰＤＳＣＨのディアクティベーションに利用されるＤＣＩを格納数にカウントしない構成としてもＵＥ負荷への影響は小さくすることができる。また、ＳＰＳのＰＤＳＣＨのディアクティベーションに利用されるＤＣＩを格納数にカウントしない構成とすることにより、他のＤＣＩの格納数を確保することが可能となる。
【００４１】
＜構成１−３＞
所定用途のＤＣＩは、ＰＤＳＣＨに対応する送達確認信号（ＨＡＲＱ−ＡＣＫ、Ａ／Ｎ、又はＡＣＫ／ＮＡＣＫとも呼ぶ）が必要となるＰＤＳＣＨのスケジューリング又はアクティベーションを指示するＤＣＩであってもよい。例えば、所定用途のＤＣＩとして、ユニキャストのＰＤＳＣＨのスケジューリングに利用されるＤＣＩ、ＰＤＳＣＨのアクティベーション又はディアクティベーションに利用されるＤＣＩが含まれていてもよい。一方で、ブロードキャストのＰＤＳＣＨのスケジューリングに利用されるＤＣＩは、格納数が制限されない（又は、格納数にカウントされない）構成としてもよい。
【００４２】
例えば、ＵＥは、ユニキャストのＰＤＳＣＨのスケジュールに利用されるＤＣＩ（例えば、図４のＤＣＩ＃５）、ＳＰＳのＰＤＳＣＨのアクティベーション、及びＳＰＳのＰＤＳＣＨのディアクティベーションに利用されるＤＣＩについて、格納数が所定値（例えば、Ｘ１）を超えないように制御する。
【００４３】
ＵＥは、ブロードキャストのＰＤＳＣＨをスケジュールするＤＣＩを受信した場合、当該ＰＤＳＣＨに対応するＨＡＲＱ−ＡＣＫの送信動作（例えば、ＨＡＲＱ−ＡＣＫ動作）が必要とされない。そのため、ブロードキャストのＰＤＳＣＨをスケジュールするＤＣＩを格納数にカウントしない構成としてもＵＥ負荷への影響はある程度小さくすることができる。
【００４４】
また、ブロードキャストのＰＤＳＣＨをスケジュールするＤＣＩ、及びＳＰＳのＰＤＳＣＨのディアクティベーションに利用されるＤＣＩの少なくとも一方を格納数にカウントしない構成とすることにより、他のＤＣＩの格納数を確保することが可能となる。
【００４５】
＜変形例＞
なお、上記構成１−１〜構成１−３では、異なる用途のＤＣＩをまとめて格納数を制限する構成としたが、これに限られない。用途が異なるＤＣＩ毎に格納数の上限がそれぞれ別々に制限される構成としてもよい。例えば、ユニキャストのＰＤＳＣＨのスケジュールに利用されるＤＣＩと、ブロードキャストのＰＤＳＣＨのスケジュールに利用されるＤＣＩとの格納数をＹ１以下とし、ＳＰＳのＰＤＳＣＨのアクティベーションに利用されるＤＣＩと、ＳＰＳのＰＤＳＣＨのディアクティベーションに利用されるＤＣＩとの格納数をＹ２以下としてもよい。これにより、ＤＣＩの格納数をＤＣＩの用途に応じて柔軟に制御できる。
【００４６】
（第２の態様）
第２の態様では、ＵＬの信号又はチャネルの受信に利用するＤＣＩのうち、所定用途のＤＣＩについてＵＥにおける格納数を制限する。
【００４７】
以下の説明では、ＵＬの信号又はチャネルの受信に利用するＤＣＩとして以下のＤＣＩ種別について説明するが、本実施の形態で適用可能なＤＣＩ種別はこれに限られない。
【００４８】
・ランダムアクセス手順におけるメッセージ３のＰＵＳＣＨに利用するＤＣＩ
・ユニキャストのＰＵＳＣＨに利用するＤＣＩ
・設定グラントタイプ２のＰＵＳＣＨのアクティベーションに利用するＤＣＩ
・設定グラントタイプ２のＰＵＳＣＨのディアクティベーションに利用するＤＣＩ
・ＰＵＳＣＨを利用したＳＰ−ＣＳＩのアクティベーションに利用するＤＣＩ
・ＰＵＳＣＨを利用したＳＰ−ＣＳＩのディアクティベーションに利用するＤＣＩ
【００４９】
メッセージ３のＰＵＳＣＨは、所定のＲＮＴＩ（例えば、ＴＣ−ＲＮＴＩ）によりＣＲＣスクランブルされるＤＣＩでスケジュールされるＰＵＳＣＨであってもよい。
【００５０】
ユニキャストのＰＵＳＣＨは、所定のＲＮＴＩ（例えば、Ｃ−ＲＮＴＩ、及びＭＣＳ−Ｃ−ＲＮＴＩの少なくとも一つ）によりＣＲＣスクランブルされるＤＣＩでスケジュールされるＰＵＳＣＨであってもよい。
【００５１】
設定グラントタイプ２のＰＵＳＣＨのアクティベーション又はディアクティベーションに利用されるＤＣＩは、所定のＲＮＴＩ（例えば、ＣＳ−ＲＮＴＩ）によりＣＲＣスクランブルされるＤＣＩであってもよい。
【００５２】
ＰＵＳＣＨを利用したＳＰ−ＣＳＩのアクティベーション又はディアクティベーションに利用されるＤＣＩは、所定のＲＮＴＩ（例えば、ＳＰ−ＣＳＩ−ＲＮＴＩ）によりＣＲＣスクランブルされるＤＣＩであってもよい。
【００５３】
ＵＥは、所定用途のＤＣＩに対する格納数が所定値以下となるように受信処理を行う。例えば、ＵＥは、所定値（例えば、Ｘ２）より多いＤＣＩ数を格納することが要求されない。この場合、ＵＥは、あるサービングセルの所定タイミングにおいて（あるいはいかなるタイミングにおいても）、最大Ｘ２個までのＤＣＩを格納する、又は格納される所定用途のＤＣＩの合計がＸ２個以下となると想定して受信処理を行ってもよい。
【００５４】
あるいは、ＵＥは、所定タイミングにおいて、所定チャネルをスケジューリングするＤＣＩ及び所定チャネル／信号のアクティベーション／ディアクティベーションを指示するＤＣＩの少なくとも一つの送信に利用されるＰＤＣＣＨをＸ２より多く受信しないと想定してもよい。なお、Ｘ２は、仕様であらかじめ設定された値でもよいし、基地局からＵＥに上位レイヤシグナリング等を利用して設定した値でもよい。また、Ｘ２は第１の態様で示したＸ１と同じ値としてもよいし、Ｘ１とＸ２をそれぞれ別々に設定してもよい。
【００５５】
ＵＥは、ＤＣＩによりスケジューリングされるＰＵＳＣＨを送信した場合には、送信したＰＵＳＣＨに対応するＤＣＩを破棄してもよい。また、ＵＥは、ＤＣＩによりアクティベーションが指示されるＰＵＳＣＨ又はＳＰ−ＣＳＩをアクティブ化した場合には、アクティブ化したＰＵＳＣＨ又はＳＰ−ＣＳＩに対応するＤＣＩを破棄してもよい。同様に、ＵＥは、ＤＣＩによりディアクティベーションが指示されるＰＵＳＣＨ又はＳＰ−ＣＳＩをディアクティブ化した場合には、ディアクティブ化したＰＵＳＣＨ又はＳＰ−ＣＳＩに対応するＤＣＩを破棄してもよい。
【００５６】
ＵＥは、所定のＤＣＩに基づく制御を行う前に当該ＤＣＩを廃棄する場合、廃棄されたＤＣＩが指示するランダムアクセス手順におけるメッセージ３のＰＵＳＣＨ送信、ユニキャストのＰＵＳＣＨ送信、設定グラントタイプ２のＰＵＳＣＨのアクティベーション、設定グラントタイプ２のＰＵＳＣＨのディアクティベーション、ＰＵＳＣＨを利用したＳＰ−ＣＳＩのアクティベーション、又はＰＵＳＣＨを利用したＳＰ−ＣＳＩのディアクティベーションを行わなくてもよい。設定タイプ２については、アクティベーション又はディアクティベーションを指示するＤＣＩを破棄する場合、当該ＤＣＩに基づいてConfigured  grant  confirmationをMAC  PDU  sub-headerの所定ＬＣＩＤ（Logical  Channel  Identifier）で報告するＰＵＳＣＨを送信してもよい。
【００５７】
あるいは、設定タイプ２またはＳＰ−ＣＳＩのアクティベーション又はディアクティベーションを指示するＤＣＩを廃棄する場合、廃棄するタイミング（例えば、スロットやシンボル）で、設定タイプ２またはＳＰ−ＣＳＩのアクティベーション又はディアクティベーションを行ってもよい。
【００５８】
また、ＵＥは、ＤＣＩの格納数がＸ２より多くなる場合、格納しているＤＣＩのうち所定のＤＣＩを廃棄してもよい。廃棄するＤＣＩは、受信タイミングが最も早いＤＣＩであってもよい。あるいは、ＤＣＩの用途に優先度を設定し、格納数がＸ２より大きくなる場合に優先度が低いＤＣＩから廃棄してもよい。
【００５９】
ＵＥにおける格納数を制限する所定用途のＤＣＩは、以下の構成２−１〜構成２−３のいずれかを適用してもよい。なお、以下の各構成では、あるセルの所定スロット（例えば、ＵＥが受信を行っている現在スロット）において、当該所定スロットまでに受信したＤＣＩの格納数について説明する。なお、ＵＥが格納するＤＣＩは、受信したＤＣＩのうち、当該ＤＣＩに関連する動作（例えば、ＰＵＳＣＨの送信、アクティブ化又はディアクティブ化）が行われていないＤＣＩを想定するがこれに限られない。
【００６０】
＜構成２−１＞
所定用途のＤＣＩとして、ＰＵＳＣＨのスケジューリングに利用されるＤＣＩ、設定グラントタイプ２のＰＵＳＣＨのアクティベーション／ディアクティベーションに利用されるＤＣＩ、及びＰＵＳＣＨを利用したＳＰ−ＣＳＩのアクティベーション／ディアクティベーションに利用されるＤＣＩが含まれていてもよい。
【００６１】
例えば、ＵＥは、ユニキャストのＰＵＳＣＨに利用されるＤＣＩ、メッセージ３のＰＵＳＣＨに利用されるＤＣＩ、設定グラントタイプ２のＰＵＳＣＨのアクティベーションに利用されるＤＣＩ、設定グラントタイプ２のＰＵＳＣＨのディアクティベーションに利用されるＤＣＩ、ＰＵＳＣＨを利用したＳＰ−ＣＳＩのアクティベーションに利用されるＤＣＩ、及びＰＵＳＣＨを利用したＳＰ−ＣＳＩのディアクティベーションに利用されるＤＣＩについて、格納数（用途が異なるＤＣＩの格納数の合計）が所定値（例えば、Ｘ２）を超えないように制御する。
【００６２】
これにより、ストレージに保持されるＤＣＩ数を所定値以下とすることができるため、ＰＵＳＣＨ送信の準備等に伴うＵＥの負荷が増大することを抑制できる。
【００６３】
＜構成２−２＞
所定用途のＤＣＩとして、ＰＵＳＣＨのスケジューリングに利用されるＤＣＩ、設定グラントタイプ２のＰＵＳＣＨのアクティベーションに利用されるＤＣＩ、及びＰＵＳＣＨを利用したＳＰ−ＣＳＩのアクティベーションに利用されるＤＣＩが含まれていてもよい。一方で、設定グラントタイプ２のＰＵＳＣＨのディアクティベーションに利用されるＤＣＩ、及びＰＵＳＣＨを利用したＳＰ−ＣＳＩのディアクティベーションに利用されるＤＣＩの少なくとも一つは、格納数が制限されない（又は、格納数にカウントされない）構成としてもよい。
【００６４】
例えば、ＵＥは、ユニキャストのＰＵＳＣＨに利用されるＤＣＩ、メッセージ３のＰＵＳＣＨに利用されるＤＣＩ、設定グラントタイプ２のＰＵＳＣＨのアクティベーションに利用されるＤＣＩ、及びＰＵＳＣＨを利用したＳＰ−ＣＳＩのアクティベーションに利用されるＤＣＩについて、格納数が所定値（例えば、Ｘ２）を超えないように制御する。
【００６５】
ＵＥは、設定グラントタイプ２のＰＵＳＣＨのディアクティベーションを指示するＤＣＩ、又はＰＵＳＣＨを利用したＳＰ−ＣＳＩのディアクティベーションを指示するＤＣＩの少なくとも一方を受信した場合、ＰＵＳＣＨの送信動作（例えば、ＰＵＳＣＨの送信準備）が必要とされない。そのため、設定グラントタイプ２のＰＵＳＣＨのディアクティベーションを指示するＤＣＩ、及びＰＵＳＣＨを利用したＳＰ−ＣＳＩのディアクティベーションを指示するＤＣＩの少なくとも一つを格納数にカウントしない構成としてもＵＥ負荷への影響は小さくすることができる。また、ディアクティベーションに利用されるＤＣＩを格納数にカウントしない構成とすることにより、他のＤＣＩの格納数を確保することが可能となる。
【００６６】
＜構成２−３＞
所定用途のＤＣＩとして、ユニキャストのＰＵＳＣＨのスケジューリングに利用されるＤＣＩ、及び設定グラントタイプ２のＰＵＳＣＨのアクティベーションに利用されるＤＣＩに利用されるＤＣＩが含まれていてもよい。一方で、メッセージ３のＰＵＳＣＨのスケジューリングに利用されるＤＣＩ、設定グラントタイプ２のＰＵＳＣＨのディアクティベーションに利用されるＤＣＩ、ＰＵＳＣＨを利用したＳＰ−ＣＳＩのアクティベーションに利用されるＤＣＩ、及びＰＵＳＣＨを利用したＳＰ−ＣＳＩのディアクティベーションに利用されるＤＣＩの少なくとも一つは、格納数が制限されない（又は、格納数にカウントされない）構成としてもよい。
【００６７】
例えば、ＵＥは、ユニキャストのＰＵＳＣＨに利用されるＤＣＩ、及び設定グラントタイプ２のＰＵＳＣＨのアクティベーションに利用されるＤＣＩについて、格納数が所定値（例えば、Ｘ２）を超えないように制御する。
【００６８】
ＵＥは、メッセージ３のＰＵＳＣＨのスケジューリングに利用されるＤＣＩ、設定グラントタイプ２のＰＵＳＣＨのディアクティベーションを指示するＤＣＩ、又はＰＵＳＣＨを利用したＳＰ−ＣＳＩのアクティベーション／ディアクティベーションを指示するＤＣＩを受信した場合、上位レイヤまたは物理レイヤの制御情報以外のユニキャストデータの送信が必要とされない。そのため、これらのＤＣＩの少なくとも一つを格納数にカウントしない構成としてもＵＥ負荷への影響は小さくすることができる。また、これらのＤＣＩを格納数にカウントしない構成とすることにより、他のＤＣＩの格納数を確保することが可能となる。
【００６９】
＜変形例＞
なお、上記構成２−１〜構成２−３では、異なる用途のＤＣＩをまとめて格納数を制限する構成としたが、これに限られない。用途が異なるＤＣＩ毎に格納数の上限がそれぞれ別々に制限される構成としてもよい。例えば、ユニキャストのＰＵＳＣＨのスケジュールに利用されるＤＣＩと、メッセージ３のＰＵＳＣＨのスケジュールに利用されるＤＣＩとの格納数をＹ１以下とし、設定グラントタイプ２のＰＵＳＣＨのアクティベーション／ディアクティベーションに利用されるＤＣＩと、ＰＵＳＣＨを利用したＳＰ−ＣＳＩのアクティベーション／ディアクティベーションに利用されるＤＣＩとの格納数をＹ２以下としてもよい。これにより、ＤＣＩの格納数をＤＣＩの用途に応じて柔軟に制御できる。
【００７０】
（第３の態様）
第３の態様では、物理共有チャネルのスケジューリングに利用されるＤＣＩフォーマットと異なるＤＣＩフォーマットに対する格納数について説明する。
【００７１】
物理共有チャネルのスケジューリングに利用されるＤＣＩフォーマットは、例えば、ＤＣＩフォーマット０＿０、０＿１、１＿０、及び１＿１のいずれかであってもよい。物理共有チャネルのスケジューリングに利用されるＤＣＩフォーマットと異なるＤＣＩフォーマットは、例えば、ＤＣＩフォーマット２シリーズ（ＤＣＩフォーマット２＿０、２＿１、２＿２、及び２＿３の少なくとも一つ）であってもよい。
【００７２】
ＤＣＩフォーマット２＿０は、スロットフォーマットの通知に利用されてもよい。ＤＣＩフォーマット２＿１は、送信が行われないリソースブロック（ＰＲＢ）及びシンボル（ＯＦＤＭシンボル）の通知に利用されてもよい。ＤＣＩフォーマット２＿２は、ＰＵＣＣＨとＰＵＳＣＨの電力制御コマンド（ＴＰＣコマンド）の送信に利用されてもよい。ＤＣＩフォーマット２＿３は、ＳＲＳ送信用のグループＴＰＣコマンドの送信に利用されてもよい。
【００７３】
＜オプション１＞
ＤＣＩフォーマット２シリーズは、ＵＥにおける格納数が制限されない（又は、格納数にカウントされない）構成としてもよい。ＵＥは、ＤＣＩフォーマット２シリーズを受信した場合、ＰＤＳＣＨの受信動作又はＰＵＳＣＨの送信動作が必要とされない。そのため、ＤＣＩフォーマット２シリーズを格納数にカウントしない構成としてもＵＥ負荷への影響は小さくすることができる。
【００７４】
＜オプション２＞
ＤＣＩフォーマット２シリーズは、ＵＥにおける格納数が制限される（又は、格納数にカウントされる）構成としてもよい。例えば、ＵＥは、ＤＣＩフォーマット２シリーズに対応するＤＣＩを受信した場合、ＤＬにおけるＤＣＩとして格納数をカウントしてもよい。
【００７５】
ＤＣＩフォーマット２シリーズのＤＣＩは、他の用途のＤＣＩとあわせて格納数が制限されてもよい。ＵＥは、あるセルの所定スロット（例えば、ＵＥが受信を行っている現在スロット）において、当該所定スロットまでに受信したＤＣＩの格納数が所定値（例えば、Ｘ１）を超えないように制御してもよい。例えば、ＵＥは、ＰＤＳＣＨ（ユニキャストＰＤＳＣＨ及びブロードキャストＰＤＳＣＨの少なくとも一方）をスケジューリングするＤＣＩ（例えば、図５のＤＣＩ＃４、＃５）と、ＤＣＩフォーマット２シリーズのＤＣＩ（例えば、図５のＤＣＩ＃３）との格納数が所定値を超えないと想定して受信処理を行ってもよい。
【００７６】
また、ＤＣＩフォーマット２シリーズのＤＣＩを、第１の態様の構成１−１〜構成１−３のいずれかにおいて所定用途のＤＣＩ（格納数にカウントされるＤＣＩ）に含めてもよい。
【００７７】
＜オプション３＞
ＤＣＩフォーマット２シリーズは、ＵＥにおける格納数が制限される（又は、格納数にカウントされる）構成としてもよい。例えば、ＵＥは、ＤＣＩフォーマット２シリーズに対応するＤＣＩを受信した場合、ＤＬにおけるＤＣＩとして格納数をカウントしてもよい。
【００７８】
ＤＣＩフォーマット２シリーズのＤＣＩは、他の用途のＤＣＩとは独立して格納数が制限されてもよい。例えば、ＤＣＩフォーマット２シリーズのＤＣＩ用に格納数の上限値（例えば、Ｘ３）を設定してもよい。この場合、ＵＥは、あるセルの所定スロット（例えば、ＵＥが受信を行っている現在スロット）において、当該所定スロットまでに受信したＤＣＩフォーマット２シリーズのＤＣＩ（例えば、図６のＤＣＩ＃３）の格納数が所定値（例えば、Ｘ３）を超えないように制御してもよい（図６参照）。
【００７９】
Ｘ３は、仕様であらかじめ設定された値でもよいし、基地局からＵＥに上位レイヤシグナリング等を利用して設定した値でもよい。また、Ｘ３は第１の態様で示したＸ１と同じ値としてもよいし、Ｘ１とＸ３をそれぞれ別々（例えば、Ｘ１≧Ｘ３）に設定してもよい。
【００８０】
このように、ＤＣＩフォーマット２シリーズのＤＣＩの格納数を他の用途のＤＣＩと別々に設定することにより、ＤＣＩの用途に応じて格納数を柔軟に設定することが可能となる。
【００８１】
（第４の態様）
第４の態様では、複数のセルを利用して通信を行う（例えば、キャリアアグリゲーションを適用する）場合の各セルに対するＤＣＩの格納数について説明する。以下の説明において、セルをＣＣに読み替えてもよい。また、セルを当該セル内に設定される帯域幅部分（ＢＷＰ）に読み替えてもよい。
【００８２】
ＵＥは、セル数に基づいてＤＣＩの格納数を決定してもよい。セルは、基地局からＵＥに設定されたセル（ＣＡ適用セル）の数であってもよいし、設定されたセルのうちアクティブ化されているセルの数であってもよい。ＵＥは、セル毎にＤＣＩの格納数が所定値を超えないように制御してもよい。ＤＣＩの格納数の上限値（例えば、リミット数）は、セル毎に別々に異なる値が設定されてもよいし、各セルに同じ値が設定されてもよい。
【００８３】
＜オプション１＞
ＵＥに格納するＤＬ又はＵＬのＤＣＩ数の上限値は、セル数に応じて増加（例えば、直線的にスケールアップ）してもよい。
【００８４】
例えば、各セルにおいてセルフスケジューリングを行う場合を想定する。セルフスケジューリングでは、所定セルで送信されるＤＣＩにより当該所定セルのＰＤＳＣＨ又はＰＵＳＣＨのスケジューリング等が行われる。この場合、各セルにおいて、それぞれＤＣＩの格納数の上限値を設定してもよい。
【００８５】
例えば、各セルにおけるＤＣＩの格納数の上限値（例えば、Ｘ１）を共通に設定してもよい。格納数としてカウントするＤＣＩは、上記第１の態様−第３の態様のいずれかを適用してもよい。
【００８６】
次に、クロスキャリアスケジューリングが設定される場合を想定する。クロスキャリアスケジューリングが設定される場合、第２のセル＃２におけるＰＤＳＣＨのスケジューリングを指示するＤＣＩが第１のセル＃１で送信されるケースも生じる。第１のセルは、スケジュールを行うセル又はスケジューリングセル（scheduling  cell）と呼ばれてもよく、第２のセルは、スケジュールされるセル又はスケジュールドセル（scheduled  cell）と呼ばれてもよい。
【００８７】
クロスキャリアスケジューリングでは、スケジューリングセルにおけるＤＣＩの格納数の上限値を当該スケジューリングセルによりスケジューリングが制御されるスケジュールドセルの数に基づいて決定してもよい。例えば、あるスケジューリングセル（図７のセル＃１）がスケジューリングするセルの数がＭである場合（図７では、セル＃１とセル＃２の２個）、スケジューリングセルにおけるＤＣＩの格納数の上限値をＭに基づいて決定（例えば、Ｘ１×Ｍ）としてもよい。
【００８８】
この場合、スケジュールドセルにおけるＤＣＩの格納数の上限値は設定しない構成としてもよい。あるいは、スケジュールドセルに設定されるＤＣＩの格納数の上限値をＵＥが無視する構成としてもよい。
【００８９】
このように、所定セル（例えば、スケジューリングセル）におけるＤＣＩの格納数の上限値を多く設定することにより、クロスキャリアスケジューリングが設定される場合でもＤＣＩの格納を適切に制御することが可能となる。
【００９０】
＜オプション２＞
ＵＥに格納するＤＬ又はＵＬのＤＣＩ数の上限値は、セル数及びＵＥ能力（UE  capability）に応じて設定してもよい。
【００９１】
例えば、設定される（又は、アクティブ化される）セル数が所定数に達するまでは、オプション１と同様にセル数に応じて格納するＤＣＩ数の上限値を増加（例えば、直線的にスケールアップ）する。設定されるセル数が所定数（例えば、４）より多くなった場合、ＤＣＩの格納数の上限値は、ＵＥ能力に基づいて決定する。ＵＥ能力は、ＣＡにおけるＰＤＣＣＨのブラインド復号に関する能力（例えば、pdcch-BlindDetectionCA）であってもよい。
【００９２】
ＣＡにおけるＰＤＣＣＨのブラインド復号に関する能力情報は、ＣＡにおいてＰＤＣＣＨのブラインド復号回数（あるいは、ＵＥがモニタ可能となるＰＤＣＣＨ候補数、又はＣＣＥ数）に関する情報であり、ＵＥから基地局に報告されてもよい。ＵＥは、ＣＡにおいて、ＰＤＣＣＨのブラインド復号に関する能力に基づいて格納可能なＤＣＩ数の上限値を決定してもよい。
【００９３】
例えば、各セルにおいてセルフスケジューリングを行う場合を想定する。セルフスケジューリングでは、所定セルで送信されるＤＣＩにより当該所定セルのＰＤＳＣＨ又はＰＵＳＣＨのスケジューリング等が行われる。この場合、各セルにおいて、それぞれＤＣＩの格納数の上限値を設定してもよい。なお、設定されるセル数が所定数以下である場合には、オプション１を適用してもよい。
【００９４】
例えば、各セルにおけるＤＣＩの格納数の上限値（例えば、Ｘ１×ｙ／Ｎ）を共通に設定してもよい。Ｘ１は、ＣＡを適用しないときにセルに対して設定される格納可能なＤＣＩ数の上限値であってもよい。ｙは、所定のＵＥ能力（例えば、pdcch-BlindDetectionCA）に基づいて決定される値であってもよい。Ｎは、設定されるセル数であってもよい。なお、セル毎に異なる格納数の上限値を設定してもよい。格納数としてカウントするＤＣＩは、上記第１の態様−第３の態様のいずれかを適用してもよい。
【００９５】
次に、クロスキャリアスケジューリングが設定される場合を想定する。クロスキャリアスケジューリングでは、スケジューリングセルにおけるＤＣＩの格納数の上限値を当該スケジューリングセルによりスケジューリングが制御されるスケジュールドセル数に基づいて決定してもよい。
【００９６】
例えば、あるスケジューリングセルがスケジュールを行うセル数がＭである場合、スケジューリングセルにおけるＤＣＩの格納数の上限値を、Ｍと所定のＵＥ能力に対応する値（ｙ）に基づいて決定（例えば、Ｘ１×Ｍ×ｙ／Ｎ）としてもよい。
【００９７】
この場合、スケジュールドセルにおけるＤＣＩの格納数の上限値は設定しない構成としてもよい。あるいは、スケジュールドセルに設定されるＤＣＩの格納数の上限値をＵＥが無視する構成としてもよい。
【００９８】
このように、所定セル（例えば、スケジューリングセル）におけるＤＣＩの格納数の上限値を多く設定することにより、クロスキャリアスケジューリングが設定される場合でもＤＣＩの格納を適切に制御することが可能となる。
【００９９】
なお、異なるサブキャリア間隔が設定されたセル間（もしくはＢＷＰ間）のＣＡを行う場合、セルあたりのＤＣＩの格納数上限値は、当該サブキャリア間隔が設定されたセル数と、ＣＡが設定されたすべてのセル数の比を用いて、各サブキャリア間隔が設定された１つまたは複数のセルにおける格納上限数を決定し、さらにその各サブキャリア間隔が設定された１つまたは複数のセルに対して、決定された格納上限数を分配し、各セルにおける格納上限数を決定するものとしてもよい。
【０１００】
（第５の態様）
第５の態様では、通信サービスの種別に応じてＵＥが格納可能なＤＣＩ数を制御する場合について説明する。
【０１０１】
ＮＲでは、モバイルブロードバンドのさらなる高度化（enhanced  Mobile  Broadband（ｅＭＢＢ））、多数同時接続を実現するマシンタイプ通信（massive  Machine  Type  Communications（ｍＭＴＣ））、高信頼かつ低遅延通信（Ultra-Reliable  and  Low-Latency  Communications（ＵＲＬＬＣ））などのユースケースが想定される。例えば、ＵＲＬＬＣでは、ｅＭＢＢより高い遅延削減、及び、ｅＭＢＢより高い信頼性が要求される。
【０１０２】
例えば、ＵＲＬＬＣの要求条件（requirement）とｅＭＢＢの要求条件の違いは、ＵＲＬＬＣの遅延（latency）がｅＭＢＢの遅延よりも小さいことであってもよいし、ＵＲＬＬＣの要求条件が信頼性の要求条件を含むことであってもよい。例えば、ｅＭＢＢのＵプレーン遅延の要件は、下りリンクのＵプレーン遅延が４ｍｓであり、上りリンクのＵプレーン遅延が４ｍｓであること、を含んでもよい。一方、ＵＲＬＬＣのＵプレーン遅延の要件は、下りリンクのＵプレーン遅延が０．５ｍｓであり、上りリンクのＵプレーン遅延が０．５ｍｓであること、を含んでもよい。また、ＵＲＬＬＣの信頼性の要件は、１ｍｓのＵプレーン遅延において、３２バイトの誤り率が１０−５であることを含んでもよい。
【０１０３】
このように、ＵＲＬＬＣとｅＭＢＢとでは要求条件が異なる。そこで、第５の態様では、ＵＥが、要求条件の異なる第１の通信サービス（例えば、ＵＲＬＬＣ）用に利用されるＤＣＩと、第２の通信サービス（例えば、ｅＭＢＢ）用に利用されるＤＣＩを格納する場合の動作について説明する。以下の説明では、ＵＲＬＬＣとｅＭＢＢを例に挙げて説明するが、適用可能な通信サービス（例えば、要求条件が異なる通信サービス）はこれに限られない。
【０１０４】
ＵＲＬＬＣ用に利用されるＤＣＩと、ｅＭＢＢ用に利用されるＤＣＩは、設定されるパラメータ、適用されるＲＮＴＩ、及びＤＣＩで指定される条件（例えば、テーブル等）の少なくとも一つに基づいて区別されてもよい。
【０１０５】
＜ＵＲＬＬＣ用ＤＣＩ＞
例えば、ＵＲＬＬＣ用に利用されるＤＣＩは、第１のＲＮＴＩ（例えば、ＭＣＳ−Ｃ−ＲＳＮＴ）によりＣＲＣスクランブルされるＤＣＩであってもよい。
【０１０６】
あるいは、ＵＲＬＬＣ用に利用されるＤＣＩは、例えば、所定値（例えば０．２または０．１８）未満の周波数利用効率（Ｓｐｅｃｔｒａｌ  ｅｆｆｉｃｉｅｎｃｙ）ｍまたは所定値（例えば１２０または１００）未満のＲの値（ここでターゲット符号化率をＲｘ［１０２４］とする）を指定可能な新規の変調及び符号化方式（Modulation  and  Coding  Scheme（ＭＣＳ））テーブル及び新規のＣＱＩ（Channel  Quality  Indicator）テーブルの少なくとも一方を指定するＤＣＩであってもよい。
【０１０７】
新規ＭＣＳテーブルは、ＭＣＳテーブル３、新規ＭＣＳテーブル、又はｑａｍ６４ＬｏｗＳＥと呼ばれてもよい。ＭＣＳテーブル３は、他のＭＣＳテーブル（例えば、ＭＣＳテーブル１、ＭＣＳテーブル２と呼ばれてもよい）に規定された最小の符号化率より低い符号化率が規定されたテーブルであってもよい。あるいは、ＭＣＳテーブル３は、ＭＣＳテーブル１またはＭＣＳテーブル２と比較した場合、同一のＭＣＳインデックスにおける符号化率が低く設定されたテーブルであってもよい。
【０１０８】
あるいは、ＵＲＬＬＣ用に利用されるＤＣＩは、当該ＤＣＩ及び対応する物理共有チャネルの少なくとも一方に対して第１の送信条件（又は、送信パラメータ）が適用されるＤＣＩであってもよい。例えば、ＤＣＩ及び当該ＤＣＩでスケジューリングされる物理共有チャネルの少なくとも一方の送信に利用されるシンボル数が所定値以下となる場合に、当該ＤＣＩはＵＲＬＬＣ用のＤＣＩと想定してもよい。
【０１０９】
あるいは、ＵＲＬＬＣ用に利用されるＤＣＩは、あらかじめ基地局から上位レイヤシグナリング（例えば、ＲＲＣシグナリング又は報知信号等）で設定された範囲、又は送信条件で設定されるＤＣＩであってもよい。
【０１１０】
＜ｅＭＢＢ用ＤＣＩ＞
例えば、ｅＭＢＢ用に利用されるＤＣＩは、第２のＲＮＴＩ（例えば、ＭＣＳ−Ｃ−ＲＮＴＩ以外のＲＮＴＩ（例えば、Ｃ−ＲＮＴＩ等））によりＣＲＣスクランブルされるＤＣＩであってもよい。
【０１１１】
あるいは、ｅＭＢＢ用に利用されるＤＣＩは、例えば、２５６ＱＡＭによる変調を設定可能なテーブルであってもよいし、所定値（例えば０．２または０．１８）未満の周波数利用効率（Ｓｐｅｃｔｒａｌ  ｅｆｆｉｃｉｅｎｃｙ）ｍまたは所定値（例えば１２０または１００）未満のＲの値（ここでターゲット符号化率をＲｘ［１０２４］とする）を指定不可能な変調及び符号化方式（Modulation  and  Coding  Scheme（ＭＣＳ））テーブル及びＣＱＩ（Channel  Quality  Indicator）テーブルの少なくとも一方を指定するＤＣＩであってもよい。
【０１１２】
２５６ＱＡＭによる変調を設定可能なテーブルであってもよいし、所定値（例えば０．２または０．１８）未満の周波数利用効率（Ｓｐｅｃｔｒａｌ  ｅｆｆｉｃｉｅｎｃｙ）ｍまたは所定値（例えば１２０または１００）未満のＲの値（ここでターゲット符号化率をＲｘ［１０２４］とする）を指定不可能な前記ＭＣＳテーブルは、ＭＣＳテーブル１又は２と呼ばれてもよい。
【０１１３】
あるいは、ｅＭＢＢ用に利用されるＤＣＩは、当該ＤＣＩ及び対応する物理共有チャネルの少なくとも一方に対して第２の送信条件（又は、送信パラメータ）が適用されるＤＣＩであってもよい。例えば、ＤＣＩ及び当該ＤＣＩでスケジューリングされる物理共有チャネルの少なくとも一方の送信に利用されるシンボル数が所定値より多いとなる場合に、当該ＤＣＩはｅＭＢＢ用のＤＣＩと想定してもよい。
【０１１４】
あるいは、ｅＭＢＢ用に利用されるＤＣＩは、あらかじめ基地局から上位レイヤシグナリング（例えば、ＲＲＣシグナリング又は報知信号等）で設定された範囲、又は送信条件で設定されるＤＣＩであってもよい。
【０１１５】
＜ＵＲＬＬＣのみ利用する場合＞
ＵＥがＵＲＬＬＣのみ利用して通信を行う場合、ＵＲＬＬＣ用のＤＣＩに対してＵＥにおける格納数の上限値（又は、リミット値）が設定されてもよい。
【０１１６】
例えば、ＵＥは、ＵＲＬＬＣ用のＤＣＩに対する格納数が所定値以下となるように受信処理を行う。所定値は、１６、３２又は６４のいずれかであってもよいし、他の値であってもよい。前記上限値は、ＵＥが端末能力情報（ＵＥ  ｃａｐａｂｉｌｉｔｙ）として報告するものであってもよい。また、ＵＥが格納数としてカウントするＤＣＩの種別（又は、用途）としては、第１の態様−第３の態様で示した構成を適宜組み合わせて適用してもよい。また、ＣＡを適用する場合には、第４の態様で示した構成を適宜組み合わせて適用してもよい。
【０１１７】
ネットワーク（例えば、基地局）は、ＵＥにおけるＤＣＩの格納数の上限を超えないようにスケジューリングを制御してもよい。この場合、ＵＥは、ＤＣＩの格納数の上限を超えてＤＣＩが送信されないと想定して受信処理を行ってもよい。
【０１１８】
あるいは、ＵＲＬＬＣ用のＤＣＩに対しては、ＵＥにおける格納数の上限値（又は、リミット値）を設定しない構成としてもよい。通常、ＵＲＬＬＣ用のＤＣＩによる指示（例えば、スケジューリング、及びアクティベーション／ディアクティベーションの少なくとも一つ）は、ｅＭＢＢ等と比較して短期間の範囲で指定されると考えられる。したがって、ＵＲＬＬＣ用のＤＣＩの格納数の上限値を設けない場合であっても、他の通信サービスと比較してＵＥにおける処理負荷の増大は抑制できる。
【０１１９】
＜ＵＲＬＬＣとｅＭＢＢを利用する場合＞
ＵＥがＵＲＬＬＣとｅＭＢＢを利用して通信を行う場合、ＵＲＬＬＣ用のＤＣＩの格納数の上限値と、ｅＭＢＢ用のＤＣＩの格納数の上限値をそれぞれ別々に設定してもよい。この場合、ＵＲＬＬＣ用のＤＣＩの格納数の上限値とｅＭＢＢ用のＤＣＩの格納数の上限値をそれぞれ別々に設定してもよい。また、ＵＲＬＬＣ用のＤＣＩの格納数とｅＭＢＢ用のＤＣＩの格納数の合計に対して上限値を設定してもよい。
【０１２０】
［オプション１］
ＵＲＬＬＣとｅＭＢＢのトラフィックの合計（例えば、ＵＲＬＬＣ用ＤＣＩに許容される格納数（例えば、ｘ１）とｅＭＢＢ用ＤＣＩに許容される格納数（例えば、ｙ１）の合計）に対してＤＣＩの格納数の上限値（例えば、ｚ）が設定される場合を想定する。
【０１２１】
ネットワーク（例えば、基地局）は、ＵＥにおける格納数の上限値を超えないようにスケジューリングを制御してもよい（図８参照）。図８では、所定スロット（例えば、スロット＃５）において蓄積されるｅＭＢＢ用のＤＣＩ＃３、＃４と、ＵＲＬＬＣ用のＤＣＩ＃５との合計がｚ以下となるように制御される。
【０１２２】
スケジューリング（例えば、あるスロットにおけるＤＣＩ送信）により、ＵＥにおけるＤＣＩの格納数の上限値を超える場合、ＵＥは、ＤＣＩと当該ＤＣＩにスケジューリングされる物理共有チャネルの受信又は送信処理を行わないように制御してもよい。つまり、ＵＥは、ＤＣＩの格納数の上限値を超える場合、送信されたＤＣＩと当該ＤＣＩにスケジューリングされる物理共有チャネルの受信処理又は送信処理についてスキップ動作を行ってもよい。
【０１２３】
あるいは、ＵＥは、ＤＣＩに対応する通信サービスの種別、及びＤＣＩの用途の少なくとも一つに基づいて、格納したＤＣＩのうち所定のＤＣＩをドロップ又は廃棄するように制御してもよい。
【０１２４】
例えば、ＵＲＬＬＣトラフィックのスケジューリング（例えば、あるスロットにおけるＵＲＬＬＣ用のＤＣＩ送信）により、ＵＥにおけるＤＣＩの格納数の上限値を超える場合を想定する。この場合、ＵＥは、スケジューリングされたＵＲＬＬＣトラフィック（ＵＲＬＬＣ用のＤＣＩと当該ＤＣＩでスケジューリングされる物理共有チャネル等）に対してスキップ動作は行わず、当該ＤＣＩを受信して格納するように制御する。
【０１２５】
一方で、ｅＭＢＢ用にスケジューリングされたいずれかのＤＣＩ（又は、ＰＤＣＣＨ）をドロップするように制御してもよい。ドロップするｅＭＢＢ用のＤＣＩ（又は、ＰＤＣＣＨ）は、時間的に最も早く受信したｅＭＢＢ用のＤＣＩであってもよいし、時間的に最も遅く受信したｅＭＢＢ用のＤＣＩであってもよい。あるいは、ドロップするｅＭＢＢ用のＤＣＩ（又は、ＰＤＣＣＨ）は、格納されているｅＭＢＢ用のＤＣＩのうち最もサイズ（例えば、トランスポートブロックサイズ（ＴＢＳ））が大きいＤＣＩであってもよい。
【０１２６】
このように、ＵＥにおけるＤＣＩの格納数が上限値を超える場合に、ＵＲＬＬＣ用のＤＣＩを優先して受信処理（例えば、格納）を行うことにより、低遅延が要求されるＵＲＬＬＣの遅延を抑制し、通信品質の劣化を抑制することができる。
【０１２７】
［オプション２］
ＵＲＬＬＣとｅＭＢＢのトラフィックに対して、ＵＥにおけるトータルのＤＣＩの格納数を考慮して、ＵＲＬＬＣ用ＤＣＩの格納数の上限値とｅＭＢＢ用ＤＣＩの格納数の上限値を設定してもよい。この場合、ＵＲＬＬＣ用のＤＣＩの格納数の上限値とｅＭＢＢ用ＤＣＩの格納数の上限値が所定の割合を満たすように各ＤＣＩの格納数の上限値を設定してもよい。
【０１２８】
例えば、ＵＲＬＬＣ用のＤＣＩの格納数の上限値と、ｅＭＢＢ用のＤＣＩの格納数の上限値について所定の割合を設定する場合、割合に関する情報を上位レイヤシグナリング等を利用して基地局からＵＥに通知してもよい。例えば、ＵＥにおけるトータルのＤＣＩの格納数の上限値がｚ、ＵＲＬＬＣ用のＤＣＩに許容される格納数（格納数の上限値）がｘ１、ｅＭＢＢ用のＤＣＩに許容される格納数がｙ１で示す場合、ＲｅＭＢＢ（ｙ１／ｚ）＋ＲＵＲＬＬＣ（ｘ１／ｚ）≦１となるように各ＤＣＩの格納数を設定すればよい。ｚ、ｘ１、ｙ１の少なくとも一つに関する情報は、基地局からＵＥに通知されてもよい。
【０１２９】
例えば、デュアルコネクティビティ（ＤＣ）における電力制御の動作（ＭＣＧとＳＣＧに対する電力割当ての設定メカニズム）と同様のメカニズムを利用して格納数の設定を行ってもよい。
【０１３０】
設定されたＵＲＬＬＣ用ＤＣＩとｅＭＢＢ用ＤＣＩの格納数の合計が上限値ｚに満たないように設定してもよい。この場合、残りの格納数（１−ＲｅＭＢＢ（ｙ１／ｚ）−ＲＵＲＬＬＣ（ｘ１／ｚ））は、ＵＲＬＬＣトラフィック（例えば、ＵＲＬＬＣ用ＤＣＩ）に優先的に割当てられてもよい。つまり、ＵＲＬＬＣ用ＤＣＩとｅＭＢＢ用ＤＣＩに対して最低限の格納数（保障格納数と呼んでもよい）を設定し、保証格納数を超えた部分についてはＤＣＩ格納数の上限値を考慮して割当てを制御してもよい。
【０１３１】
あるいは、ＵＲＬＬＣ用のＤＣＩに許容される格納数ｘ１、ｅＭＢＢ用のＤＣＩに許容される格納数ｙ１の合計がＵＥにおけるＤＣＩの格納数の上限値ｚを超えるように（例えば、ＲｅＭＢＢ（ｙ１／ｚ）＋ＲＵＲＬＬＣ（ｘ１／ｚ）＞１）各ＤＣＩに許容される格納数を設定してもよい。この場合、ＵＥにおいて格納するＤＣＩ数が上限値を超えた場合、ＵＲＬＬＣトラフィック（例えば、ＵＲＬＬＣ用ＤＣＩ）が優先されるように格納済みのＤＣＩをドロップしてもよい。
【０１３２】
このように、ＵＲＬＬＣ用のＤＣＩに許容される格納数ｘ１、ｅＭＢＢ用のＤＣＩに許容される格納数ｙ１をＵＥに設定することにより、各ＤＣＩの格納数を柔軟に制御することが可能となる。
【０１３３】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【０１３４】
図９は、一実施形態に係る無線通信システムの概略構成の一例を示す図である。無線通信システム１は、３ＧＰＰ（Third  Generation  Partnership  Project）によって仕様化されるＬＴＥ（Long  Term  Evolution）、５Ｇ  ＮＲ（5th  generation  mobile  communication  system  New  Radio）などを用いて通信を実現するシステムであってもよい。
【０１３５】
また、無線通信システム１は、複数のＲＡＴ（Radio  Access  Technology）間のデュアルコネクティビティ（マルチＲＡＴデュアルコネクティビティ（ＭＲ−ＤＣ：Multi-RAT  Dual  Connectivity））をサポートしてもよい。ＭＲ−ＤＣは、ＬＴＥ（Ｅ−ＵＴＲＡ：Evolved  Universal  Terrestrial  Radio  Access）とＮＲとのデュアルコネクティビィティ（ＥＮ−ＤＣ：E-UTRA-NR  Dual  Connectivity）、ＮＲとＬＴＥとのデュアルコネクティビィティ（ＮＥ−ＤＣ：NR-E-UTRA  Dual  Connectivity）などを含んでもよい。
【０１３６】
ＥＮ−ＤＣでは、ＬＴＥ（Ｅ−ＵＴＲＡ）の基地局（ｅＮＢ）がマスターノード（ＭＮ：Master  Node）であり、ＮＲの基地局（ｇＮＢ）がセカンダリーノード（ＳＮ：Secondary  Node）である。ＮＥ−ＤＣでは、ＮＲの基地局（ｇＮＢ）がＭＮであり、ＬＴＥ（Ｅ−ＵＴＲＡ）の基地局（ｅＮＢ）がＳＮである。
【０１３７】
無線通信システム１は、同一のＲＡＴ内の複数の基地局間のデュアルコネクティビティ（例えば、ＭＮ及びＳＮの双方がＮＲの基地局（ｇＮＢ）であるデュアルコネクティビティ（ＮＮ−ＤＣ：NR-NR  Dual  Connectivity））をサポートしてもよい。
【０１３８】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えてもよい。ユーザ端末２０は、少なくとも１つのセル内に位置してもよい。各セル及びユーザ端末２０の配置、数などは、図に示す態様に限定されない。以下、基地局１１及び１２を区別しない場合は、基地局１０と総称する。
【０１３９】
ユーザ端末２０は、複数の基地局１０のうち、少なくとも１つに接続してもよい。ユーザ端末２０は、複数のコンポーネントキャリア（ＣＣ：Component  Carrier）を用いたキャリアアグリゲーション（Carrier  Aggregation）及びデュアルコネクティビティ（ＤＣ）の少なくとも一方を利用してもよい。
【０１４０】
各ＣＣは、第１の周波数帯（ＦＲ１：Frequency  Range  1）及び第２の周波数帯（ＦＲ２：Frequency  Range  2）の少なくとも１つに含まれてもよい。マクロセルＣ１はＦＲ１に含まれてもよいし、スモールセルＣ２はＦＲ２に含まれてもよい。例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。なお、ＦＲ１及びＦＲ２の周波数帯、定義などはこれらに限られず、例えばＦＲ１がＦＲ２よりも高い周波数帯に該当してもよい。
【０１４１】
また、ユーザ端末２０は、各ＣＣにおいて、時分割複信（ＴＤＤ：Time  Division  Duplex）及び周波数分割複信（ＦＤＤ：Frequency  Division  Duplex）の少なくとも１つを用いて通信を行ってもよい。
【０１４２】
複数の基地局１０は、有線（例えば、ＣＰＲＩ（Common  Public  Radio  Interface）に準拠した光ファイバ、Ｘ２インターフェースなど）又は無線（例えば、ＮＲ通信）によって接続されてもよい。例えば、基地局１１及び１２間においてＮＲ通信がバックホールとして利用される場合、上位局に該当する基地局１１はＩＡＢ（Integrated  Access  Backhaul）ドナー、中継局（リレー）に該当する基地局１２はＩＡＢノードと呼ばれてもよい。
【０１４３】
基地局１０は、他の基地局１０を介して、又は直接コアネットワーク３０に接続されてもよい。コアネットワーク３０は、例えば、ＥＰＣ（Evolved  Packet  Core）、５ＧＣＮ（5G  Core  Network）、ＮＧＣ（Next  Generation  Core）などの少なくとも１つを含んでもよい。
【０１４４】
ユーザ端末２０は、ＬＴＥ、ＬＴＥ−Ａ、５Ｇなどの通信方式の少なくとも１つに対応した端末であってもよい。
【０１４５】
無線通信システム１においては、直交周波数分割多重（ＯＦＤＭ：Orthogonal  Frequency  Division  Multiplexing）ベースの無線アクセス方式が利用されてもよい。例えば、下りリンク（ＤＬ：Downlink）及び上りリンク（ＵＬ：Uplink）の少なくとも一方において、ＣＰ−ＯＦＤＭ（Cyclic  Prefix  OFDM）、ＤＦＴ−ｓ−ＯＦＤＭ（Discrete  Fourier  Transform  Spread  OFDM）、ＯＦＤＭＡ（Orthogonal  Frequency  Division  Multiple  Access）、ＳＣ−ＦＤＭＡ（Single  Carrier  Frequency  Division  Multiple  Access）などが利用されてもよい。
【０１４６】
無線アクセス方式は、波形（waveform）と呼ばれてもよい。なお、無線通信システム１においては、ＵＬ及びＤＬの無線アクセス方式には、他の無線アクセス方式（例えば、他のシングルキャリア伝送方式、他のマルチキャリア伝送方式）が用いられてもよい。
【０１４７】
無線通信システム１では、下りリンクチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下り制御チャネル（ＰＤＣＣＨ：Physical  Downlink  Control  Channel）などが用いられてもよい。
【０１４８】
また、無線通信システム１では、上りリンクチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられてもよい。
【０１４９】
ＰＤＳＣＨによって、ユーザデータ、上位レイヤ制御情報、ＳＩＢ（System  Information  Block）などが伝送される。ＰＵＳＣＨによって、ユーザデータ、上位レイヤ制御情報などが伝送されてもよい。また、ＰＢＣＨによって、ＭＩＢ（Master  Information  Block）が伝送されてもよい。
【０１５０】
ＰＤＣＣＨによって、下位レイヤ制御情報が伝送されてもよい。下位レイヤ制御情報は、例えば、ＰＤＳＣＨ及びＰＵＳＣＨの少なくとも一方のスケジューリング情報を含む下り制御情報（ＤＣＩ：Downlink  Control  Information）を含んでもよい。
【０１５１】
なお、ＰＤＳＣＨをスケジューリングするＤＣＩは、ＤＬアサインメント、ＤＬ  ＤＣＩなどと呼ばれてもよいし、ＰＵＳＣＨをスケジューリングするＤＣＩは、ＵＬグラント、ＵＬ  ＤＣＩなどと呼ばれてもよい。なお、ＰＤＳＣＨはＤＬデータで読み替えられてもよいし、ＰＵＳＣＨはＵＬデータで読み替えられてもよい。
【０１５２】
ＰＤＣＣＨの検出には、制御リソースセット（ＣＯＲＥＳＥＴ：COntrol  REsource  SET）及びサーチスペース（search  space）が利用されてもよい。ＣＯＲＥＳＥＴは、ＤＣＩをサーチするリソースに対応する。サーチスペースは、ＰＤＣＣＨ候補（PDCCH  candidates）のサーチ領域及びサーチ方法に対応する。１つのＣＯＲＥＳＥＴは、１つ又は複数のサーチスペースに関連付けられてもよい。ＵＥは、サーチスペース設定に基づいて、あるサーチスペースに関連するＣＯＲＥＳＥＴをモニタしてもよい。
【０１５３】
１つのＳＳは、１つ又は複数のアグリゲーションレベル（aggregation  Level）に該当するＰＤＣＣＨ候補に対応してもよい。１つ又は複数のサーチスペースは、サーチスペースセットと呼ばれてもよい。なお、本開示の「サーチスペース」、「サーチスペースセット」、「サーチスペース設定」、「サーチスペースセット設定」、「ＣＯＲＥＳＥＴ」、「ＣＯＲＥＳＥＴ設定」などは、互いに読み替えられてもよい。
【０１５４】
ＰＵＣＣＨによって、チャネル状態情報（ＣＳＩ：Channel  State  Information）、の送達確認情報（例えば、ＨＡＲＱ−ＡＣＫ（Hybrid  Automatic  Repeat  reQuest）、ＡＣＫ／ＮＡＣＫなどと呼ばれてもよい）、スケジューリングリクエスト（ＳＲ：Scheduling  Request）などが伝送されてもよい。ＰＲＡＣＨによって、セルとの接続確立のためのランダムアクセスプリアンブルが伝送されてもよい。
【０１５５】
なお、本開示において下りリンク、上りリンクなどは「リンク」を付けずに表現されてもよい。また、各種チャネルの先頭に「物理（Physical）」を付けずに表現されてもよい。
【０１５６】
無線通信システム１では、同期信号（ＳＳ：Synchronization  Signal）、下りリンク参照信号（ＤＬ−ＲＳ：Downlink  Reference  Signal）などが伝送されてもよい。無線通信システム１では、ＤＬ−ＲＳとして、セル固有参照信号（ＣＲＳ：Cell-specific  Reference  Signal）、チャネル状態情報参照信号（ＣＳＩ−ＲＳ：Channel  State  Information  Reference  Signal）、復調用参照信号（ＤＭＲＳ：DeModulation  Reference  Signal）、位置決定参照信号（ＰＲＳ：Positioning  Reference  Signal）、位相トラッキング参照信号（ＰＴＲＳ：Phase  Tracking  Reference  Signal）などが伝送されてもよい。
【０１５７】
同期信号は、例えば、プライマリ同期信号（ＰＳＳ：Primary  Synchronization  Signal）及びセカンダリ同期信号（ＳＳＳ：Secondary  Synchronization  Signal）の少なくとも１つであってもよい。ＳＳ（ＰＳＳ、ＳＳＳ）及びＰＢＣＨ（及びＰＢＣＨ用のＤＭＲＳ）を含む信号ブロックは、ＳＳ／ＰＢＣＨブロック、ＳＳＢ（SS  Block）などと呼ばれてもよい。なお、ＳＳ、ＳＳＢなども、参照信号と呼ばれてもよい。
【０１５８】
また、無線通信システム１では、上りリンク参照信号（ＵＬ−ＲＳ：Uplink  Reference  Signal）として、測定用参照信号（ＳＲＳ：Sounding  Reference  Signal）、復調用参照信号（ＤＭＲＳ）などが伝送されてもよい。なお、ＤＭＲＳはユーザ端末固有参照信号（UE-specific  Reference  Signal）と呼ばれてもよい。
【０１５９】
（基地局）
図１０は、一実施形態に係る基地局の構成の一例を示す図である。基地局１０は、制御部１１０、送受信部１２０、送受信アンテナ１３０及び伝送路インターフェース（transmission  line  interface）１４０を備えている。なお、制御部１１０、送受信部１２０及び送受信アンテナ１３０及び伝送路インターフェース１４０は、それぞれ１つ以上が備えられてもよい。
【０１６０】
なお、本例では、本実施の形態における特徴部分の機能ブロックを主に示しており、基地局１０は、無線通信に必要な他の機能ブロックも有すると想定されてもよい。以下で説明する各部の処理の一部は、省略されてもよい。
【０１６１】
制御部１１０は、基地局１０全体の制御を実施する。制御部１１０は、本開示に係る技術分野での共通認識に基づいて説明されるコントローラ、制御回路などから構成することができる。
【０１６２】
制御部１１０は、信号の生成、スケジューリング（例えば、リソース割り当て、マッピング）などを制御してもよい。制御部１１０は、送受信部１２０、送受信アンテナ１３０及び伝送路インターフェース１４０を用いた送受信、測定などを制御してもよい。制御部１１０は、信号として送信するデータ、制御情報、系列（sequence）などを生成し、送受信部１２０に転送してもよい。制御部１１０は、通信チャネルの呼処理（設定、解放など）、基地局１０の状態管理、無線リソースの管理などを行ってもよい。
【０１６３】
送受信部１２０は、ベースバンド（baseband）部１２１、ＲＦ（Radio  Frequency）部１２２、測定部１２３を含んでもよい。ベースバンド部１２１は、送信処理部１２１１及び受信処理部１２１２を含んでもよい。送受信部１２０は、本開示に係る技術分野での共通認識に基づいて説明されるトランスミッター／レシーバー、ＲＦ回路、ベースバンド回路、フィルタ、位相シフタ（phase  shifter）、測定回路、送受信回路などから構成することができる。
【０１６４】
送受信部１２０は、一体の送受信部として構成されてもよいし、送信部及び受信部から構成されてもよい。当該送信部は、送信処理部１２１１、ＲＦ部１２２から構成されてもよい。当該受信部は、受信処理部１２１２、ＲＦ部１２２、測定部１２３から構成されてもよい。
【０１６５】
送受信アンテナ１３０は、本開示に係る技術分野での共通認識に基づいて説明されるアンテナ、例えばアレイアンテナなどから構成することができる。
【０１６６】
送受信部１２０は、上述の下りリンクチャネル、同期信号、下りリンク参照信号などを送信してもよい。送受信部１２０は、上述の上りリンクチャネル、上りリンク参照信号などを受信してもよい。
【０１６７】
送受信部１２０は、デジタルビームフォーミング（例えば、プリコーディング）、アナログビームフォーミング（例えば、位相回転）などを用いて、送信ビーム及び受信ビームの少なくとも一方を形成してもよい。
【０１６８】
送受信部１２０（送信処理部１２１１）は、例えば制御部１１０から取得したデータ、制御情報などに対して、ＰＤＣＰ（Packet  Data  Convergence  Protocol）レイヤの処理、ＲＬＣ（Radio  Link  Control）レイヤの処理（例えば、ＲＬＣ再送制御）、ＭＡＣ（Medium  Access  Control）レイヤの処理（例えば、ＨＡＲＱ再送制御）などを行い、送信するビット列を生成してもよい。
【０１６９】
送受信部１２０（送信処理部１２１１）は、送信するビット列に対して、チャネル符号化（誤り訂正符号化を含んでもよい）、変調、マッピング、フィルタ処理、離散フーリエ変換（ＤＦＴ：Discrete  Fourier  Transform）処理（必要に応じて）、逆高速フーリエ変換（ＩＦＦＴ：Inverse  Fast  Fourier  Transform）処理、プリコーディング、デジタル−アナログ変換などの送信処理を行い、ベースバンド信号を出力してもよい。
【０１７０】
送受信部１２０（ＲＦ部１２２）は、ベースバンド信号に対して、無線周波数帯への変調、フィルタ処理、増幅などを行い、無線周波数帯の信号を、送受信アンテナ１３０を介して送信してもよい。
【０１７１】
一方、送受信部１２０（ＲＦ部１２２）は、送受信アンテナ１３０によって受信された無線周波数帯の信号に対して、増幅、フィルタ処理、ベースバンド信号への復調などを行ってもよい。
【０１７２】
送受信部１２０（受信処理部１２１２）は、取得されたベースバンド信号に対して、アナログ−デジタル変換、高速フーリエ変換（ＦＦＴ：Fast  Fourier  Transform）処理、逆離散フーリエ変換（ＩＤＦＴ：Inverse  Discrete  Fourier  Transform）処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１７３】
送受信部１２０（測定部１２３）は、受信した信号に関する測定を実施してもよい。例えば、測定部１２３は、受信した信号に基づいて、ＲＲＭ（Radio  Resource  Management）測定、ＣＳＩ（Channel  State  Information）測定などを行ってもよい。測定部１２３は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部１１０に出力されてもよい。
【０１７４】
伝送路インターフェース１４０は、コアネットワーク３０に含まれる装置、他の基地局１０などとの間で信号を送受信（バックホールシグナリング）し、ユーザ端末２０のためのユーザデータ（ユーザプレーンデータ）、制御プレーンデータなどを取得、伝送などしてもよい。
【０１７５】
なお、本開示における基地局１０の送信部及び受信部は、送受信部１２０、送受信アンテナ１３０及び伝送路インターフェース１４０の少なくとも１つによって構成されてもよい。
【０１７６】
なお、送受信部１２０は、所定セルにおいて用途が異なる１以上の下り制御情報を送信する。
【０１７７】
制御部１１０は、ＵＥに格納される下り制御情報が所定数を超えないようにスケジューリングを制御してもよい。
【０１７８】
所定用途の下り制御情報は、物理共有チャネルのスケジューリングに用いられる下り制御情報、物理共有チャネルのアクティベーションに用いられる下り制御情報、及び物理共有チャネルのディアクティベーションに用いられる下り制御情報が含まれてもよい。
【０１７９】
あるいは、所定用途の下り制御情報は、物理共有チャネルのスケジューリングに用いられる下り制御情報、及び物理共有チャネルのアクティベーションに用いられる下り制御情報が含まれていてもよい。一方で、物理共有チャネルのディアクティベーションに用いられる下り制御情報は含まれなくてよい。
【０１８０】
あるいは、所定用途の下り制御情報は、ユニキャスト用の物理共有チャネルのスケジューリングに用いられる下り制御情報、及び物理共有チャネルのアクティベーションに用いられる下り制御情報が含まれていてもよい。一方で、物理共有チャネルのディアクティベーションに用いられる下り制御情報、及びブロードキャスト用の物理共有チャネルのスケジューリングに用いられる下り制御情報は含まれなくてよい。
【０１８１】
また、送受信部１２０は、異なるＲＮＴＩ（Radio  Network  Temporary  Identifier）、異なる変調及び符号化テーブル、及び異なる送信パラメータの少なくとも一つが適用される第１の下り制御情報及び第２の下り制御情報を送信してもよい。
【０１８２】
制御部１１０は、第１の下り制御情報及び第２の下り制御情報の少なくとも一方について、ＵＥにおける格納数が所定数を超えないようにスケジューリングを制御してもよい。
【０１８３】
第１の下り制御情報の格納数の上限値と前記第２の下り制御情報の格納数の上限値が別々に設定されてもよい。
【０１８４】
（ユーザ端末）
図１１は、一実施形態に係るユーザ端末の構成の一例を示す図である。ユーザ端末２０は、制御部２１０、送受信部２２０及び送受信アンテナ２３０を備えている。なお、制御部２１０、送受信部２２０及び送受信アンテナ２３０は、それぞれ１つ以上が備えられてもよい。
【０１８５】
なお、本例では、本実施の形態における特徴部分の機能ブロックを主に示しており、ユーザ端末２０は、無線通信に必要な他の機能ブロックも有すると想定されてもよい。以下で説明する各部の処理の一部は、省略されてもよい。
【０１８６】
制御部２１０は、ユーザ端末２０全体の制御を実施する。制御部２１０は、本開示に係る技術分野での共通認識に基づいて説明されるコントローラ、制御回路などから構成することができる。
【０１８７】
制御部２１０は、信号の生成、マッピングなどを制御してもよい。制御部２１０は、送受信部２２０及び送受信アンテナ２３０を用いた送受信、測定などを制御してもよい。制御部２１０は、信号として送信するデータ、制御情報、系列などを生成し、送受信部２２０に転送してもよい。
【０１８８】
送受信部２２０は、ベースバンド部２２１、ＲＦ部２２２、測定部２２３を含んでもよい。ベースバンド部２２１は、送信処理部２２１１、受信処理部２２１２を含んでもよい。送受信部２２０は、本開示に係る技術分野での共通認識に基づいて説明されるトランスミッター／レシーバー、ＲＦ回路、ベースバンド回路、フィルタ、位相シフタ、測定回路、送受信回路などから構成することができる。
【０１８９】
送受信部２２０は、一体の送受信部として構成されてもよいし、送信部及び受信部から構成されてもよい。当該送信部は、送信処理部２２１１、ＲＦ部２２２から構成されてもよい。当該受信部は、受信処理部２２１２、ＲＦ部２２２、測定部２２３から構成されてもよい。
【０１９０】
送受信アンテナ２３０は、本開示に係る技術分野での共通認識に基づいて説明されるアンテナ、例えばアレイアンテナなどから構成することができる。
【０１９１】
送受信部２２０は、上述の下りリンクチャネル、同期信号、下りリンク参照信号などを受信してもよい。送受信部２２０は、上述の上りリンクチャネル、上りリンク参照信号などを送信してもよい。
【０１９２】
送受信部２２０は、デジタルビームフォーミング（例えば、プリコーディング）、アナログビームフォーミング（例えば、位相回転）などを用いて、送信ビーム及び受信ビームの少なくとも一方を形成してもよい。
【０１９３】
送受信部２２０（送信処理部２２１１）は、例えば制御部２１０から取得したデータ、制御情報などに対して、ＰＤＣＰレイヤの処理、ＲＬＣレイヤの処理（例えば、ＲＬＣ再送制御）、ＭＡＣレイヤの処理（例えば、ＨＡＲＱ再送制御）などを行い、送信するビット列を生成してもよい。
【０１９４】
送受信部２２０（送信処理部２２１１）は、送信するビット列に対して、チャネル符号化（誤り訂正符号化を含んでもよい）、変調、マッピング、フィルタ処理、ＤＦＴ処理（必要に応じて）、ＩＦＦＴ処理、プリコーディング、デジタル−アナログ変換などの送信処理を行い、ベースバンド信号を出力してもよい。
【０１９５】
なお、ＤＦＴ処理を適用するか否かは、トランスフォームプリコーディングの設定に基づいてもよい。送受信部２２０（送信処理部２２１１）は、あるチャネル（例えば、ＰＵＳＣＨ）について、トランスフォームプリコーディングが有効（enabled）である場合、当該チャネルをＤＦＴ−ｓ−ＯＦＤＭ波形を用いて送信するために上記送信処理としてＤＦＴ処理を行ってもよいし、そうでない場合、上記送信処理としてＤＦＴ処理を行わなくてもよい。
【０１９６】
送受信部２２０（ＲＦ部２２２）は、ベースバンド信号に対して、無線周波数帯への変調、フィルタ処理、増幅などを行い、無線周波数帯の信号を、送受信アンテナ２３０を介して送信してもよい。
【０１９７】
一方、送受信部２２０（ＲＦ部２２２）は、送受信アンテナ２３０によって受信された無線周波数帯の信号に対して、増幅、フィルタ処理、ベースバンド信号への復調などを行ってもよい。
【０１９８】
送受信部２２０（受信処理部２２１２）は、取得されたベースバンド信号に対して、アナログ−デジタル変換、ＦＦＴ処理、ＩＤＦＴ処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１９９】
送受信部２２０（測定部２２３）は、受信した信号に関する測定を実施してもよい。例えば、測定部２２３は、受信した信号に基づいて、ＲＲＭ測定、ＣＳＩ測定などを行ってもよい。測定部２２３は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部２１０に出力されてもよい。
【０２００】
なお、本開示におけるユーザ端末２０の送信部及び受信部は、送受信部２２０、送受信アンテナ２３０及び伝送路インターフェース２４０の少なくとも１つによって構成されてもよい。
【０２０１】
なお、送受信部２２０は、所定セルにおいて用途が異なる１以上の下り制御情報を受信する。
【０２０２】
制御部２１０は、受信した下り制御情報のうち所定用途の下り制御情報が所定数を超えないように格納を制御してもよい。なお、ＤＣＩの格納は、ＵＥに含まれる記憶装置（例えば、メモリ）等に格納されてもよい。
【０２０３】
所定用途の下り制御情報は、物理共有チャネルのスケジューリングに用いられる下り制御情報、物理共有チャネルのアクティベーションに用いられる下り制御情報、及び物理共有チャネルのディアクティベーションに用いられる下り制御情報が含まれてもよい。
【０２０４】
あるいは、所定用途の下り制御情報は、物理共有チャネルのスケジューリングに用いられる下り制御情報、及び物理共有チャネルのアクティベーションに用いられる下り制御情報が含まれていてもよい。一方で、物理共有チャネルのディアクティベーションに用いられる下り制御情報は含まれなくてよい。
【０２０５】
あるいは、所定用途の下り制御情報は、ユニキャスト用の物理共有チャネルのスケジューリングに用いられる下り制御情報、物理共有チャネルのアクティベーション、及び物理共有チャネルのディアクティベーションに用いられる下り制御情報が含まれていてもよい。一方で、物理共有チャネルのディアクティベーションに用いられる下り制御情報、及びブロードキャスト用の物理共有チャネルのスケジューリングに用いられる下り制御情報は含まれなくてよい。
【０２０６】
制御部２１０は、複数のセルを利用して通信を行う場合、セル毎に格納する下り制御情報の数を決定してもよい。
【０２０７】
また、送受信部２２０は、異なるＲＮＴＩ（Radio  Network  Temporary  Identifier）、異なる変調及び符号化テーブル、及び異なる送信パラメータの少なくとも一つが適用される第１の下り制御情報及び第２の下り制御情報を受信してもよい。
【０２０８】
制御部２１０は、受信した第１の下り制御情報と第２の下り制御情報が所定数を超えないように格納を制御してもよい。
【０２０９】
第１の下り制御情報の格納数の上限値と前記第２の下り制御情報の格納数の上限値が別々に設定されてもよい。
【０２１０】
制御部２１０は、第１の下り制御情報の格納数と前記第２の下り制御情報の格納数が所定数を超える場合、一方の下り制御情報を優先的にドロップするように制御してもよい。
【０２１１】
第１の下り制御情報の格納数の上限値と第２の下り制御情報の格納数の上限値が所定の割合で設定されてもよい。
【０２１２】
第１の下り制御情報の格納数の上限値と第２の下り制御情報の格納数の上限値が所定の割合に基づいて所定数を超えて設定されてもよい。
【０２１３】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０２１４】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０２１５】
例えば、本開示の一実施形態における基地局、ユーザ端末などは、本開示の無線通信方法の処理を行うコンピュータとして機能してもよい。図１２は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２１６】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０２１７】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０２１８】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０２１９】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述の制御部１１０（２１０）、送受信部１２０（２２０）などの少なくとも一部は、プロセッサ１００１によって実現されてもよい。
【０２２０】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、制御部１１０（２１０）は、メモリ１００２に格納され、プロセッサ１００１において動作する制御プログラムによって実現されてもよく、他の機能ブロックについても同様に実現されてもよい。
【０２２１】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０２２２】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２２３】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信部１２０（２２０）、送受信アンテナ１３０（２３０）などは、通信装置１００４によって実現されてもよい。送受信部１２０（２２０）は、送信部１２０ａ（２２０ａ）と受信部１２０ｂ（２２０ｂ）とで、物理的に又は論理的に分離された実装がなされてもよい。
【０２２４】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２２５】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２２６】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２２７】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２２８】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０２２９】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０２３０】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０２３１】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０２３２】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０２３３】
例えば、１サブフレームはＴＴＩと呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２３４】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２３５】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０２３６】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２３７】
１ｍｓの時間長を有するＴＴＩは、通常ＴＴＩ（３ＧＰＰ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０２３８】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２３９】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０２４０】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０２４１】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２４２】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２４３】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０２４４】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０２４５】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０２４６】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２４７】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２４８】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２４９】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２５０】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２５１】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２５２】
情報の通知は、本開示において説明した態様／実施形態に限られず、他の方法を用いて行われてもよい。例えば、本開示における情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２５３】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  ＣＥ（Control  Element））を用いて通知されてもよい。
【０２５４】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２５５】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２５６】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２５７】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２５８】
本開示において使用する「システム」及び「ネットワーク」という用語は、互換的に使用され得る。「ネットワーク」は、ネットワークに含まれる装置（例えば、基地局）のことを意味してもよい。
【０２５９】
本開示において、「プリコーディング」、「プリコーダ」、「ウェイト（プリコーディングウェイト）」、「擬似コロケーション（ＱＣＬ：Quasi-Co-Location）」、「ＴＣＩ状態（Transmission  Configuration  Indication  state）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０２６０】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２６１】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２６２】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２６３】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２６４】
基地局及び移動局の少なくとも一方は、送信装置、受信装置、無線通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０２６５】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２６６】
同様に、本開示におけるユーザ端末は、基地局で読み替えてもよい。この場合、上述のユーザ端末２０が有する機能を基地局１０が有する構成としてもよい。
【０２６７】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２６８】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２６９】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２７０】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２７１】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２７２】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２７３】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２７４】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２７５】
また、「判断（決定）」は、「想定する（assuming）」、「期待する（expecting）」、「みなす（considering）」などで読み替えられてもよい。
【０２７６】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２７７】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２７８】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２７９】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２８０】
本開示において、例えば、英語でのa,  an及びtheのように、翻訳によって冠詞が追加された場合、本開示は、これらの冠詞の後に続く名詞が複数形であることを含んでもよい。
【０２８１】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020059147.tif 000003
【図２】
2020059147.tif 000004
【図３】
2020059147.tif 000005
【図４】
2020059147.tif 000006
【図５】
2020059147.tif 000007
【図６】
2020059147.tif 000008
【図７】
2020059147.tif 000009
【図８】
2020059147.tif 000010
【図９】
2020059147.tif 000011
【図１０】
2020059147.tif 000012
【図１１】
2020059147.tif 000013
【図１２】
2020059147.tif 000014
【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
下り共有チャネルを受信する受信部と、
受信していない下り共有チャネルをスケジュールする下り制御情報であって、且つ特定のＲＮＴＩ（Radio  Network  Temporary  Identifier）によりＣＲＣスクランブルされる前記下り制御情報に対する下り制御チャネルを最大Ｘ個まで受信すると想定して受信処理を制御する制御部と、を有することを特徴とする端末。
【請求項２】
前記特定のＲＮＴＩは、Ｃ−ＲＮＴＩ、ＣＳ−ＲＮＴＩ又はＭＣＳ−Ｃ−ＲＮＴＩであることを特徴とする請求項１に記載の端末。
【請求項３】
前記制御部は、ＳＩ−ＲＮＴＩによりＣＲＣスクランブルされる下り制御情報に対する下り制御チャネルの受信を前記Ｘ個に含めないことを特徴とする請求項１又は請求項２に記載の端末。
【請求項４】
前記下り制御情報は、ＤＣＩフォーマット１＿０又はＤＣＩフォーマット１＿１であることを特徴とする請求項１から請求項３のいずれかに記載の端末。
【請求項５】
前記制御部は、前記下り共有チャネルがスケジュールされるセル毎に、前記下り制御チャネルを最大Ｘ個までそれぞれ受信すると想定することを特徴とする請求項１から請求項４のいずれかに記載の端末。
【請求項６】
クロスキャリアスケジューリングが適用される場合、前記制御部は、スケジュールされるセルの数に基づいてスケジューリングセルにおける前記下り制御チャネルの受信数の最大値を判断することを特徴とする請求項１から請求項５のいずれかに記載の端末。
【請求項７】
下り共有チャネルを受信する工程と、
受信していない下り共有チャネルをスケジュールする下り制御情報であって、且つ特定のＲＮＴＩ（Radio  Network  Temporary  Identifier）によりＣＲＣスクランブルされる前記下り制御情報に対する下り制御チャネルを最大Ｘ個まで受信すると想定して受信処理を制御する工程と、を有することを特徴とする端末の無線通信方法。
【請求項８】
下り共有チャネルを送信する送信部と、
端末が受信していない下り共有チャネルをスケジュールする下り制御情報であって、且つ特定のＲＮＴＩ（Radio  Network  Temporary  Identifier）によりＣＲＣスクランブルする前記下り制御情報に対する下り制御チャネルを最大Ｘ個まで前記端末が受信すると想定して送信処理を制御する制御部と、を有することを特徴とする基地局。
【請求項９】
端末と基地局とを有するシステムであって、
前記端末は、下り共有チャネルを受信する受信部と、
受信していない下り共有チャネルをスケジュールする下り制御情報であって、且つ特定のＲＮＴＩ（Radio  Network  Temporary  Identifier）によりＣＲＣスクランブルされる前記下り制御情報に対する下り制御チャネルを最大Ｘ個まで受信すると想定して受信処理を制御する制御部と、を有し、
前記基地局は、前記下り共有チャネルを送信する送信部と、
前記下り制御チャネルを最大Ｘ個まで前記端末が受信すると想定して送信処理を制御する制御部と、を有することを特徴とするシステム。
【手続補正３】
【補正対象書類名】明細書
【補正対象項目名】０００９
【補正方法】変更
【補正の内容】
【０００９】
本開示の一態様に係る端末は、下り共有チャネルを受信する受信部と、受信していない下り共有チャネルをスケジュールする下り制御情報であって、且つ特定のＲＮＴＩ（Radio  Network  Temporary  Identifier）によりＣＲＣスクランブルされる前記下り制御情報に対する下り制御チャネルを最大Ｘ個まで受信すると想定して受信処理を制御する制御部と、を有することを特徴とする。
【国際調査報告】
2020059147.tif 000015
2020059147.tif 000016
2020059147.tif 000017